(57)【特許請求の範囲】
【請求項１】
底面と、該底面から立設された側面とから土壌収容自在なトレー本体を形成するとともに、前記トレー本体の収容空間部を横方向で複数に仕切る仕切壁を装備してある植栽トレーであって、
前記トレー本体の底面に保水マットを敷設し、その保水マットの上に前記仕切壁を載置して、前記収容空間部を複数の小割空間に分割し、
前記小割空間毎に、前記底面に下方突出した水溜め部を一体形成し、
前記水溜め部の底面よりも高い箇所に水抜き孔を形成してある植栽トレー。
【請求項２】
前記仕切壁を複数設けるとともに、それら複数の仕切壁は互いに向きが揃えられている請求項１に記載の植栽トレー。
【請求項３】
前記複数の仕切壁に亘る状態で、該仕切壁に交差する方向に延びる仕切壁補強リブが装備されている請求項２に記載の植栽トレー。
【請求項４】
前記トレー本体の平面視形状を、方形における少なくとも１箇所の角部がカットされた状態のものに設定してある請求項１〜３のいずれか１項に記載の植栽トレー。
【発明の詳細な説明】
【０００１】
【発明の属する技術分野】
本発明は、屋上緑化用の土壌容器として好適となる植栽トレーであって、詳しくは、底面と、該底面から立設された側面とから土壌収容自在なトレー本体を形成するとともに、前記トレー本体の収容空間部を横方向で複数に仕切る仕切壁を装備してある植栽トレーに関するものである。
【０００２】
【従来の技術】
近年、空気の自然清浄効果や地球温暖化の防止効果を発揮できる有益な対策として、屋上や屋根を緑化することが推進されつつある。即ち、二酸化炭素を消費して酸素を発生する光合成を行う緑を増やそうとするものであり、国や地方自治体が助成する動きも見受けられる。
【０００３】
例えば、建物の屋上や屋根を緑化する場合、躯体上に相当深さを有した土壌を直に入れるという一体化構造を採ることが考えられるが、この手段は建築当初に設定しておかねばならないので、既設の建物には不可であるとともにコスト的に高く付いて実現が困難であることから、一般的には、園芸用プランタンのような比較的小規模な土壌収容具、即ち植栽トレーの複数を、既設の屋根に敷設する手段が採られるようになる。
【０００４】
即ち、図１５に示すように、平面視矩形で浅型の植栽トレーａを屋根Ｙ上に載置するのであり、植栽トレーａ内部の収容空間Ｓには緑化用の土１０を収容する。この土１０が収容された植栽トレーａを縦横に並べて設置することで、屋根Ｙ全体を緑化することが可能になる。
【０００５】
【発明が解決しようとする課題】
しかしながら、前記従来技術では問題があった。即ち、屋根には勾配があって植栽トレーは常時傾いた傾斜姿勢で使用されるようになるから、図１５に示すように、雨天等によって雨水が注がれると、表面ライン１１が水平になろうとして、その流れに伴って土１０がトレーａ内における下方に移動して偏ってしまい、植栽トレーａ上部には実質的に土が無くなって緑化不能になるとか、植栽トレーａ下端から土１０が流れ出るといった不都合が生じ易い傾向にあった。尚、図１５における破線は、水平時の土１０の表面ライン１１を示している。
【０００６】
本発明の目的は、勾配のある屋根上にて使用しても、土が下方に偏る不都合が実質的に回避される植栽トレーを提供する点にある。
【０００７】
【課題を解決するための手段】
〔構成〕
請求項１の構成は、図１、図２に例示する如く、底面１と、該底面１から立設された側面２とから土壌収容自在なトレー本体３を形成するとともに、トレー本体３の収容空間部ＳＰを横方向で複数に仕切る仕切壁５を装備してある植栽トレーであって、前記トレー本体３の底面１に保水マット９を敷設し、その保水マット９の上に前記仕切壁５を載置して、前記収容空間部ＳＰを複数の小割空間ｓに分割し、前記小割空間ｓ毎に、前記底面１に下方突出した水溜め部６を一体形成し、前記水溜め部６の底面６ａよりも高い箇所に水抜き孔２２を形成してあることを特徴とする。
【０００８】
請求項１の構成によれば、底面と側面とから成る無蓋箱状の植栽トレー本体の収容空間部を、仕切壁を設けることで横方向で複数に仕切るようにしたので、側面と仕切壁、又は仕切壁どうしで仕切られた空間部の仕切幅を、対向する側面どうしの間隔より狭い範囲において如何様にも設定することが可能になる。これにより、深さに対する仕切幅の比率を、植栽トレー全体の大きさを変えること無く従来に比べて小さくすること（深さ比率を大きくすること）ができ、屋根上等の傾斜した箇所に置いて使用する場合における土の下方への移動量を十分減少させることができる。
【０００９】
従って、仕切壁で仕切られた収容空間部分における傾斜下手側への土の流れ移動が、実質的に問題とならない範囲に抑制することができ、屋根等の傾斜面における使用状況でも、傾斜上手側部分の土が傾斜下手側に移動して、植栽トレー上部の緑化が芳しく無くなるという不都合を回避でき、植栽トレー全面において良好な緑化を実現することが可能になる。
【００１０】
そして、仕切り壁に切欠きや孔等を設けるようにすれば、根の伸びは許容することができるから、仕切壁で小さな空間部分に仕切ることで土の流れ出しを抑制又は阻止しながらも、根が十分に広がって育つようにすることができる。又、仕切壁の深さを深くすれば、仕切壁を越えて根が延びることが抑制されるようになって、仕切壁で仕切られた部分の植え替えや植物の交換の際に、交換しない部分が根の絡みによって連れて出てくるとか、その切断作業に手間取るということが軽減され、植え替えや交換操作が容易化されるようになる。これにより、仕切壁毎に違う種類の植物を互いに悪影響少なく育成することも可能になる。
【００１１】
請求項２の構成は、図１に例示する如く、請求項１の構成において、仕切壁５を複数設けるとともに、それら複数の仕切壁５は互いに向きが揃えられていることを特徴とするものである。
【００１２】
請求項２の構成によれば、植栽トレーには互いに向きが揃えられた複数の仕切壁を備えてあるので、屋根等の傾斜箇所に置かれた場合には、その傾斜方向に仕切壁が複数並ぶように設置することにより、収容空間部分を傾斜方向で複数箇所に仕切ることができるから、傾斜による土の下方移動を実質的に問題とならない範囲に抑制させる作用を、傾斜角度の緩急、トレーの大きさや深さ等に応じて仕切壁数を適宜に設定することで得ることができる。
【００１３】
請求項３の構成は、図１に例示する如く、請求項２の構成において、複数の仕切壁５に亘る状態で、該仕切壁５に交差する方向に延びる仕切壁補強リブ４が装備されていることを特徴とするものである。
【００１４】
請求項３の構成によれば、仕切壁に交差する方向に延びる仕切壁補強リブにより、方向が揃えられて複数並ぶ仕切壁どうしが互いに補強されるようになり、トレー中に投入された土の圧力にも十分対抗できるようになるとともに、その補強リブによって収容空間部を仕切ることが可能になり、屋根に設置した場合のように、勾配によって流れる土がその勾配に交差する方向に流れ広がることを抑制することも可能になる。
【００１５】
【００１６】
【００１７】
請求項４の構成は、図２に例示する如く、請求項１〜３の構成において、トレー本体３の平面視形状を、方形における少なくとも１箇所の角部がカットされた状態のものに設定してあることを特徴とするものである。
【００１８】
請求項４の構成によれば、平面視で方形の植栽トレーにおける１箇所以上の角部をカットしてあるから、そのカットされた箇所を用いて屋根にボルト止めする等により、基本となる方形から張り出ること無く固定手段を配置することが可能になる。これにより、複数の植栽トレーを載置箇所に固定しながら横方向で隙間無く敷き詰めることができる。或いは、隣合う植栽トレーにおけるカットされた角部を集約配置すれば、１本のボルトによって２個〜４個の植栽トレーを固定することが可能である（図５参照）。
【００１９】
【発明の実施の形態】
−第１実施形態−
図１に第１実施形態による植栽トレーＡが示されている。この植栽トレーＡは、底面１と、この底面１から立設された側面２とから土壌収容自在なトレー本体３を形成するとともに、トレー本体３の収容空間部ＳＰを横方向で複数に仕切る第１及び第２仕切壁４，５を着脱自在に装備して構成されている。
【００２０】
図１、図２に示すように、平面視略正方形のトレー本体３は、下方突出した多数の水溜部６が一体形成された底面１と、前後左右の側面２Ａ，２Ｂ，２Ｃ，２Ｄ及び４箇所のコーナー側面２ａ，２ｂ，２ｃ，２ｄとから成る無蓋箱状のものであり、プラスチック材による一体成型によって形成されている。水溜部６は、平面視方形のものであり、これら多数の水溜部６の底面６ａが、植栽トレーＡとしての実質的な底面（載置される面）になっている。水溜部６には、粒のやや粗い土（例えばパーライト等）２５を入れておくと良い。
【００２１】
図１、図３に示すように、互いに横方向で直交（交差の一例）する第１仕切壁（仕切壁補強リブの一例）４と第２仕切壁５とを、合欠き構造により、互いに直交する状態に各５個ずつ組み合わされて一体化された組仕切壁７の状態に構成してあり、この組仕切壁７としてトレー本体３内に載置されている。つまり、置いてあるだけであり、組仕切壁７は着脱自在にトレー本体３に装備されている。この仕切壁７により、トレー本体３の収容空間部ＳＰは、３２個の正方形及び４個の略正方形の計３６個の小割空間ｓに分割されている。尚、スクリュー、ボルト等の固定手段や、雄部材と雌部材とによるスナップ機構等のトレー本体３への係合手段を用いて仕切壁４，５を装備させるようにしても良く、これら固定手段、係合手段付きでも「着脱自在」の範疇に含まれるものとする。
【００２２】
底面１には、後の穿孔加工が行い易いよう、ポンチマーク的作用を生じさせるために部分的に若干凹ませた穴開けガイド８を、両仕切壁４，５の直下となる位置の９箇所に形成してある。各コーナー側面２ａ〜２ｄは、方形の角部を斜辺長さが３０ｍｍ（縦横長さは２１．２ｍｍ）となるよう、４５度の角度でカットすることで生じた面に構成されている。従って、厳密には植栽トレーＡの平面視形状は８角形であり、コーナー４箇所の小割空間ｓの平面視形状は、変形５角形であるとともに、水溜部６は３個（他の小割空間ｓでは４個）に設定されている。
【００２３】
図３には、植栽トレーＡを、緑化用トレーとして屋根Ｙに載置して用いた場合を示している。植栽状態では、トレー本体３内に保水マット９を敷設し、その上に土１０を投入するのであるが、屋根Ｙの勾配（傾斜) により、雨天の影響等によって土が勾配下方側（傾斜下手側）に移動するようになるが、第２仕切壁５によって土の流出が食い止められ、どの小割空間ｓでも土が均等に確保されて良好な緑化が行えるようになっている。
【００２４】
即ち、図３（イ）に示す平坦状態の土表面ライン１１が、屋根Ｙに載置固定した後でも水平状態を維持しようする作用から、図３（ロ）に示すように、小割空間ｓにおける勾配下方側の第２仕切壁５又は後側面２Ｂの上端すれすれの位置となっている。しかして、土が小割空間ｓから零れないようにするには、屋根勾配が緩ければ隣合う第２仕切壁５，５（又は前後側面２Ａ，２Ｂと第２仕切壁５）の間隔を広く取ること（第２仕切壁５の数を少なくすること）が可能であり、屋根勾配が急になれば、隣合う第２仕切壁５，５（又は前後側面２Ａ，２Ｂと第２仕切壁５）の間隔を狭くすること（第２仕切壁５の数を多くすること）が必要である。尚、図３（ロ）における一点破線は、水平状態での土表面ライン１１を示している。
【００２５】
この第１実施形態による植栽トレーＡでは、保水マット９の存在により、底面１から仕切壁４，５が上方に離れた（浮いた）状態に装備されるので、第１及び第２仕切壁４，５によって小割空間ｓに仕切られているが、根は仕切壁４，５の下方を通って（保水マット９中を通って）余所の小割空間ｓに延伸可能である。従って、この言わばトレー本体３の深さにおける上部にのみ設けられた状態の仕切壁４，５により、土１０は流れないように小割にしながらも、根の広がる対象土壌としては、前記小割空間ｓのみならず、周囲にまで広げることができるという利点がある。
【００２６】
次に、植栽トレーＡの屋根Ｙへの固定構造について説明する。
図４〜図７に示すように、屋根Ｙ上には縦横の夫々に複数の植栽トレーＡが隙間無く配列されており、隣り合う４個の植栽トレーＡのコーナー側面２ａ，２ｂ，２ｃ，２ｄによって形成される矩形空間ｋｋを利用して、植栽トレーＡの１個当たり対向する角部の２箇所ずつを止め金具１２によって屋根Ｙに固定してある。
【００２７】
即ち、屋根Ｙの上に敷設された防水シート１３の適所には、該防水シート１３に一体化された円坐１４ａ付きの固定用ボルト１４を立設してあり、コーナー側面２ａ，２ｂ，２ｃ，２ｄに作用する押え部１６を一対備えた止め金具１２の２個を、押し込み方向で係合自在なキャップ１５を用いて固定用ボルト１４に螺着することで屋根Ｙに固定してある。止め金具１２は、縦横に並ぶ多数の矩形空間ｋｋのうちの１つ飛ばし毎に設けてあり、４箇所のコーナー側面２ａ，２ｂ，２ｃ，２ｄのうちの対向する一対のコーナー側面２ａ，２ｃ又は２ｂ，２ｄを止める状態に配置されている。
【００２８】
図６（イ）に示すように、止め金具１２は、ボルト貫通長孔１７を有した底面１８と、底面１８から立ち上がってコーナー側面２ａ〜２ｄに引っ掛かり自在な一対の押え部１６，１６とを備えた側面視で略凹形状のものである。平面視で９０度ずらして２個用いることで、図７に示すように、１本の固定用ボルト１４当たり計４箇所のコーナー側面２ａ，２ｂ，２ｃ，２ｄを押え付け固定できるように構成されている。尚、図６（ロ）は、止め金具１２を２個用いるときの組合わせ状態を示している。
【００２９】
−第２実施形態−
図１１、図１２に示すように、第１及び第２仕切壁４，５が側壁２と同じ高さで底面１に一体形成されるとともに、底面１における各水溜部６の周囲４箇所ずつに水抜き孔２２が形成された構造にトレー本体３を構成してある植栽トレーＡでも良い。この場合は、水溜部６を含めて土壌１０が充填されており、芝等の植物の栽培に好適な植栽トレーＡに構成されている。
【００３０】
図１２に示すように、水抜き孔２２は、水は通過させ、かつ、土壌は通過させないようにするため、直径２〜３ｍｍの大きさに設定されている。これにより、１つの小割空間ｓには計１６個の水抜き孔２２が前後左右方向に関して対称に形成されており、植栽トレーＡがどの方向に傾斜しても、いずれかの水抜き孔２２から排水できるようにしてある。これにより、トレー本体３における最も下層となる水溜部６ではなく、言わば上下中段に設定されているような底面１に水抜き孔２２を設けてあるから、ある程度の水は水溜部６に貯水できるようにしながら、余分な水は速やかに排水できる構造としてある。
【００３１】
又、下方突出している水溜部６どうしの間において縦、横、又縦横の双方に延びるトレー裏面の空間部分は、水抜き孔２２から落下してくる水を流す排水路２４として機能させることができ、強い雨が降る等しても余剰水を速やかに排水させることができる利点がある。
【００３２】
−第３実施形態−
図１３に示すように、前記第２実施形態に示すトレー本体３を、第１及び第２仕切壁４，５の高さが側壁２よりも低く設定し、仕切壁４，５の上端レベルにまで入れられた土壌１０の上に植生マット２３が敷設されるように構成された植栽トレーＡでも良い。
【００３３】
植生マット２３は、別の場所（発芽室等）において植物をある程度生育させて苗の状態にするまでの床土の役割を為すものであり、その苗が育成された状態の植生マット２３を、仕切り壁４，５で仕切られた土壌１０の上に載置してそのまま用いることができる。これは、例えばセダム等の植物に好適なものである。尚、これら第２及び第３実施形態に示された植栽トレーＡの第１及び第２仕切り壁４，５を、トレー本体３に対して着脱自在に構成しても良い。
【００３４】
−第４実施形態−
図１４に示すように、図１３に示す植栽トレーＡにおける仕切壁４，５をトレー本体３に対して着脱自在に構成し、その着脱自在な仕切壁４，５と底面１との間に１枚ものの保水マット９を敷設した多層構造の植栽トレーＢでも良い。この場合は、保水マット９が、水抜き孔２２から土壌がトレイ外に流出するのを防止する機能も有するようになる。又、水溜まり部６には一般的な土壌１０を入れても、パーライト等の粗い土２５を入れるようにしても良い。
【００３５】
〔別実施形態〕
《１》  図８に示すように、互いに平行な複数の第１仕切壁（横仕切壁）２１をトレー本体３に備えた植栽トレーＡであるとか、図示しないが、波曲線状に第１及び第２仕切壁４，５を形成して設けても良い。又、両仕切壁４，５を合成樹脂材やばね板等の可撓性を有した材料で作成することにより、トレー本体３の大きさが異なっても収納できるとか、小割空間ｓの形状変更が行えるといった特徴を発揮させることも可能である。
【００３６】
《２》  図９に示すように、トレー本体３に装備される第２仕切壁５を、筒（角筒）状の筒仕切壁２０が縦横に複数並べられた構造とすれば、縦横各２列ずつの計４個の筒仕切壁２０を取り除いてできる大きな矩形収容空間に、周囲の植物とは大きさ及び種類の異なる植物を植える、と言った具合に大きさや形状の異なる小割空間ｓを、設置時及び設置後を問わずに自由に行える利点がある。
【００３７】
《３》  一対の止め金具１２，１２のうちの一方を、図１０に示すように、板厚分だけ下方に下がった段差面１９を底面１８に設けて、押え部１６の高さ位置を合せるようにした特殊止め金具１２Ｔを用いても良い。
【００３８】
《４》  図示しないが、トレー本体を水溜部を持たない平な底面を有するものに形成し、かつ、排水用（水通し用）のために所々寸断された不連続な第１及び第２仕切壁を設けた植栽トレーでも良い。この場合、トレー本体の側面の下端部に排水用の孔を適宜に穿孔しておけば水捌けが良くなって好都合である。又、前記不連続状態の第１及び第２仕切壁を、保水マットを敷かない状態の図１に示すトレー本体に載置した構成の植栽トレーでも可である。
【００３９】
《５》  図示しないが、水溜まり部を持たない平な底面１を有したトレー本体に、保水マットを敷かずに第１及び第２仕切壁を設け、これら両仕切壁夫々の下端部に、水通し用の開口を各小割空間毎に形成したシンプル構成の植栽トレーも本発明の範疇として有効である。又、保水マットの有無に拘わらず、底面側に所定間隔の上下間隙を有した状態で、第１又は第２若しくは両仕切壁をトレー本体に設けるようにしても良い。
【００４０】
《６》  図６（ロ）に示す２個使いの止め金具１２，１２を、これら両者をプレス成形等によって一体化した単一部品のものに置き換えても良い。
【００４１】
【発明の効果】
請求項１に記載の植栽トレーでは、仕切を設けてトレー内の収容空間部を複数に仕切るようにしたので、屋根等の傾斜箇所に設置した場合には、傾斜下手側への土の移動による植栽偏りや傾斜上手側での緑化不能といったことが解消され、良好な緑化を実現できるようになった。そして、仕切壁に孔や切欠きといった連通手段を設ければ、土の移動は抑制しながら根の育成は促進できるようになるとか、仕切壁を深くすれば、仕切壁を越えての根絡みが抑制され、仕切壁を挟んだ箇所における部分的な植物交換、植え替えの容易化が図れるといったことが可能になる利点もある。
【００４２】
請求項２に記載の植栽トレーでは、請求項１の構成による前記効果を奏するとともに、屋根等の傾斜箇所に設置する場合には、傾斜角度、トレー深さ、大きさ等の諸条件に応じて、仕切られた収納空間部の仕切幅と深さ割合の設定が自在に行え、より良好な緑化が行えるようにできた。
【００４３】
請求項３に記載の植栽トレーでは、補強リブによって仕切壁の支持強度が向上して、仕切壁の耐土圧力が向上するので、トレー深さの深いものや角度の急な屋根上での使用が可能になるとともに、仕切壁に沿って広がろうとする土の流れを横補強リブによって抑制できる利点もある。
【００４４】
尚、仕切壁をトレー本体に対して着脱自在とすることにより、トレー内部や仕切壁の掃除が行い易いとともに、設置場所の条件に応じて、仕切壁の数や高さ、並びに小割空間の傾斜方向長さ、面積等を変更設定自在になり、載置場所の諸条件に適合させ易いとか、偏りの無い良好な緑化状態が得られるといった利点がある。
【００４５】
請求項４に記載の植栽トレーでは、請求項１〜３の構成によるいずれかの前記効果を奏するとともに、角部のカットされた箇所を用いて載置箇所に固定できながらも、縦横に隙間無く植栽トレーを並べて、緑化面積増大に寄与できる合理的なものにできた。
【図面の簡単な説明】
【図１】  第１実施形態による植栽トレーの構造を示す斜視図
【図２】  （イ）はトレー本体の平面図、（ロ）はトレー本体の断面図
【図３】  （イ）は水平状態の植栽トレーの断面図、（ロ）は傾斜状態の植栽トレーの断面図
【図４】  ４個の植栽トレーによる矩形空間を示す斜視図
【図５】  植栽トレーの屋根への固定構造を示す断面図
【図６】  止め金具の構造を示し、（イ）は単品斜視図、（ロ）は組合わせ状態の斜視図
【図７】  止め金具の配置状態を示す屋根上に載置された植栽トレーの平面図
【図８】  仕切壁の別構造を示す植栽トレーの斜視図
【図９】  筒状の仕切壁及びその敷設状態を示す斜視図
【図１０】  止め金具の別構造を示す斜視図
【図１１】  第２実施形態による植栽トレーの構造を示す断面側面図
【図１２】  トレー本体を部分的に示す平面図
【図１３】  第３実施形態による植栽トレーの構造を示す断面側面図
【図１４】  第４実施形態による植栽トレーの構造を示す断面側面図
【図１５】  屋根に置かれた従来の植栽トレーを示す断面図
【符号の説明】
１              底面
２              側面
３              トレー本体
４              仕切壁補強リブ
５              仕切壁
６              水溜部
６ａ            水溜部の底面
９              保水マット
２２            水抜き孔
ＳＰ            収容空間部
ｓ              小割空間
【図１】
0003856681.tif 000002
【図２】
0003856681.tif 000003
【図３】
0003856681.tif 000004
【図４】
0003856681.tif 000005
【図５】
0003856681.tif 000006
【図６】
0003856681.tif 000007
【図７】
0003856681.tif 000008
【図８】
0003856681.tif 000009
【図９】
0003856681.tif 000010
【図１０】
0003856681.tif 000011
【図１１】
0003856681.tif 000012
【図１２】
0003856681.tif 000013
【図１３】
0003856681.tif 000014
【図１４】
0003856681.tif 000015
【図１５】
0003856681.tif 000016